(57)【要約】【課題】入力された映像信号から静止画像を取得し、映像信号に基づく画像と静止画像とをそれぞれ異なる領域に表示可能な表示装置を提供すること。【解決手段】映像信号を入力する映像信号入力部を複数有し、前記入力された映像信号に基づく画像をそれぞれ表示可能な複数の表示領域を含む表示部を有する表示装置において、前記映像信号から静止画像を取得する静止画像取得部と、前記映像信号入力部により入力された映像信号に基づく画像を一の前記表示領域に、前記静止画像を当該一の前記表示領域とは異なる他の前記表示領域に表示をする処理を行う映像処理部と、を備えたことを特徴とする表示装置。【選択図】図２
2019204032.tif 000002
【特許請求の範囲】
【請求項１】
映像信号を入力する映像信号入力部を複数有し、前記入力された映像信号に基づく画像をそれぞれ表示可能な複数の表示領域を含む表示部を有する表示装置において、
前記映像信号から静止画像を取得する静止画像取得部と、
前記映像信号入力部により入力された映像信号に基づく画像を一の前記表示領域に連続して表示し、前記静止画像を当該一の前記表示領域とは異なる他の前記表示領域に表示をする処理を行う映像処理部と、
を備えたことを特徴とする表示装置。
【請求項２】
前記画像を記憶するバッファ領域を複数確保可能な記憶部を更に有し、
前記映像信号入力部は、映像信号に基づくフレーム画像を前記バッファ領域に記憶し、
前記静止画像取得部は、前記フレーム画像が記憶された前記バッファ領域以外のバッファ領域に、前記静止画像を記憶し、
前記映像処理部は、前記バッファ領域の画像を合成して、表示する処理を行う、
ことを特徴とする請求項１に記載の表示装置。
【請求項３】
前記バッファ領域は、複数の前記映像信号入力部のそれぞれに対して確保され、
前記映像信号入力部は、対応する前記バッファ領域に前記フレーム画像を記憶し、
前記静止画像取得部は、前記静止画像として前記フレーム画像を記憶する
ことを特徴とする請求項２に記載の表示装置。
【請求項４】
前記映像信号入力部には、映像出力装置が接続されており、
前記静止画像取得部は、前記映像出力装置から前記映像信号入力部を介して受信された制御信号に基づいて、静止画像を取得する、
ことを特徴とする請求項１から３の何れか一項に記載の表示装置。
【発明の詳細な説明】
【技術分野】
【０００１】
本発明は、表示装置に関する。
【背景技術】
【０００２】
近年、８Ｋテレビといった高解像度の表示装置が利用され始めている。また、このような高解像度の表示装置は、画面を分割し、それぞれの領域に画像を表示する、マルチ画面を表示する技術に関する技術が提案されている。
【０００３】
例えば、第１の解像度を有する映像に対応した第１の映像信号を入力する複数の端子を有し、表示制御手段は、複数の端子に入力された第１の映像信号を、第１の解像度よりも大きい第２の解像度に対応した表示画面を分割してなる各領域にマルチ画面表示させるように制御し、複数の端子の少なくとも１つに、第１の映像信号に代えて前記第２の解像度を有する映像に対応した第２の映像信号を入力可能とする技術が提案されている（例えば、特許文献１参照）。
【０００４】
また、複数の情報端末の各々に表示される画面の画面情報を要求するタイミングを設定し、該タイミングにしたがって、複数の情報端末の各々に送信する画面情報要求を作成し、画面情報要求を送信した情報端末から送信される画面情報に基づいて画面を表示する第１制御部と、該第１制御部によって作成される画面情報要求をタイミングに該当する情報端末に送信し、該情報端末から送信される画面情報を受信する第１送受信部とを有し、複数の情報端末の各々は、画面情報要求に応じて、表示している画面をキャプチャすることによって画面情報を作成する第２制御部と、画面情報要求を受信し、第２制御部によって作成した画面情報を表示装置へ送信する第２送受信部とを有する表示装置が提案されている（例えば、特許文献２参照）。
【先行技術文献】
【特許文献】
【０００５】
【特許文献１】特開２０１３−２１７９７２号公報
【特許文献２】特開２０１６−３１４１１号公報
【発明の概要】
【発明が解決しようとする課題】
【０００６】
８Ｋを含む高解像度テレビにおいては、複数の画面を表示することで有効に画面を使用することが望まれる。しかしながら、ＰＣ等の装置から出力される映像に基づいて８Ｋ表示をする場合、４本のＨＤＭＩ（High-Definition Multimedia Interface）（登録商標）入力といった複数の入力系統が必要であるが、実際にはそのようなシステムで使用しているユーザは少ない。特許文献１に記載の技術でも、マルチ表示を行うためには４つの入力系統が必要であり、ユーザの利便性を向上させることができない。
【０００７】
また、特許文献２に記載の技術は、表示装置が、外部装置にキャプチャ指示を送り、外部装置から取得したキャプチャ画像を表示する。したがって、表示装置に外部装置のキャプチャ画像を送信させるために、表示装置と外部装置との両方の機器操作を要するため、操作が煩わしい。
【０００８】
上述した課題に鑑み、本発明は、入力された映像信号から静止画像を取得し、映像信号に基づく画像と静止画像とをそれぞれ異なる領域に表示可能な表示装置等を提供することを目的とする。
【課題を解決するための手段】
【０００９】
上述した課題を解決するために、本発明の表示装置は、
映像信号を入力する映像信号入力部を複数有し、前記入力された映像信号に基づく画像をそれぞれ表示可能な複数の表示領域を含む表示部を有する表示装置において、
前記映像信号から静止画像を取得する静止画像取得部と、
前記映像信号入力部により入力された映像信号に基づく画像を一の前記表示領域に、前記静止画像を当該一の前記表示領域とは異なる他の前記表示領域に表示をする処理を行う映像処理部と、
を備えたことを特徴とする。
【発明の効果】
【００１０】
本発明によれば、映像信号入力部により取得された映像信号に基づく画像を一の表示領域に、映像信号から取得した静止画像を当該一の表示領域とは異なる他の表示領域に表示をすることが可能となる。したがって、ユーザが映像を見ながら作業をする場合であっても、複数の入力系統を必要とせず、複数の装置に対する機器操作も必要としない。したがって、資料の比較等が容易にでき、ユーザの業務効率や操作性を向上させることが可能となる。
【図面の簡単な説明】
【００１１】
【図１】第１実施形態における全体構成を説明するための図である。
【図２】第１実施形態における表示装置の機能構成を説明するための図である。
【図３】通常の場合における（ａ）映像信号及び画像データの流れ、（ｂ）高解像度の映像の表示例、（ｃ）マルチ表示画面の表示例を説明するための図である。
【図４】第１実施形態における（ａ）映像信号及び画像データの流れ、（ｂ）マルチ画面表示の表示例を説明するための図である。
【図５】第１実施形態におけるメイン処理を説明するためのフロー図である。
【図６】第１実施形態における静止画像取得処理を説明するためのフロー図である。
【図７】第１実施形態におけるリモコン装置の例を示した図である。
【図８】第１実施形態における（ａ）静止画像データが記憶されていない場合のマルチ画面表示の表示例、（ｂ）静止画像データが記憶された後のマルチ画面表示の表示例、（ｃ）さらにその後のマルチ画面表示の表示例を説明するための図である。
【図９】第１実施形態における映像処理部の動作例を説明するための図である。
【図１０】第２実施形態における映像信号及び画像データの流れを説明するための図である。
【図１１】第３実施形態における表示装置の機能構成を説明するためのである。
【図１２】第３実施形態における映像信号及び画像データの流れを説明するための図である。
【図１３】第３実施形態におけるメイン処理を説明するためのフロー図である。
【図１４】第４実施形態における（ａ）リモコン装置の例、（ｂ）静止画像データを入れ替える前のマルチ画面表示の表示例、（ｃ）静止画像データを入れ替えた後のマルチ画面表示の表示例を説明するための図である。
【図１５】第５実施形態における全体構成を説明するための図である。
【図１６】第５実施形態における（ａ）作業画面の画面例、（ｂ）アプリの表示画面の例、（ｃ）静止画像データが記憶されていない場合のマルチ画面表示の表示例、（ｄ）静止画像データが記憶された後のマルチ画面表示の表示例を説明するための図である。
【図１７】第５実施形態における（ａ）静止画像データを入れ替える前のマルチ画面表示の表示例、（ｂ）静止画像データを入れ替えた後のマルチ画面表示の表示例を説明するための図である。
【発明を実施するための形態】
【００１２】
以下、本発明の実施の形態について、図面を参照して説明する。なお、本実施形態では、一例として、本発明を適用した表示装置について説明する。
【００１３】
［１．第１実施形態］
［１．１  全体構成］
まず、第１実施形態の全体構成について説明する。図１は、本発明を適用した表示装置１０と、映像出力装置であるＰＣ（Personal Computer）２０とが接続された状態を示した図である。表示装置１０とＰＣ２０とは、例えば、ＨＤＭＩケーブルで接続されており、ＰＣ２０から表示装置１０へ映像信号が送信される。
【００１４】
なお、映像出力装置はスマートフォンといった端末装置であってもよい。この場合は、スマートフォンと表示装置１０とは、例えば、ＭＨＬ（Mobile High-definition Link）ケーブルで接続され、スマートフォンから表示装置１０へ映像信号が送信される。
【００１５】
［１．２  機能構成］
つづいて、図２を参照して表示装置１０の機能構成について説明する。表示装置１０は、制御部１００と、映像信号入力部１４０と、表示部１５０と、制御信号受信部１６０と、記憶部１７０とを備えて構成される。
【００１６】
制御部１００は、表示装置１０の全体を制御するための機能部である。制御部１００は、各種プログラムを読み出して実行することにより各種機能を実現しており、例えば、１又は複数のＣＰＵ（Central Processing Unit）等により構成される。
【００１７】
また、制御部１００は、記憶部１７０に記憶されたソフトウェア（プログラム）を実行することにより、静止画像取得部１１０、映像処理部１２０、制御信号処理部１３０として機能する。なお、本実施形態においては、静止画像取得部１１０、映像処理部１２０、制御信号処理部１３０は、ソフトウェアで実現されているが、ハードウェア（例えば、該当機能部の回路等）によって実現されてもよい。
【００１８】
映像信号入力部１４０は、ＰＣ２０から出力された映像信号を入力する機能部である。また、映像信号入力部１４０は、入力された映像信号を映像データ（フレーム画像データ）にデコードして出力する。例えば、映像信号入力部１４０は、ＨＤＭＩ端子と、ＨＤＭＩ端子から入力される映像信号をデコードして映像データに変換するＴＭＤＳ（Transition Minimized Differential Signaling）デコーダとを備えて構成される。なお、それ以外にも映像信号から音声データ、コマンドデータ等もデコードされるが、本実施形態においては、フレーム画像データを中心に説明する。
【００１９】
記憶部１７０は、表示装置１０の動作に必要な各種プログラムや、各種データを記憶する。記憶部１７０は、例えば、半導体メモリや、ＳＳＤ（Solid State Drive）、ＨＤＤ（Hard Disk Drive）、ｅＭＭＣ（Embedded Multi Media Card）、及びＳＤカード（Secure Digital Memory Card）等の記憶デバイスを含み構成されている。
【００２０】
また、記憶部１７０は、画像データを記憶するフレームメモリ１８０を備える。また、フレームメモリ１８０には、映像信号入力部１４０に対応して仮想バッファ１８００が確保されている。例えば、表示装置１０に映像信号入力部１４０を４つ備えた場合は、仮想バッファ１８００は４つ確保される。そして、それぞれの仮想バッファ１８００には、対応する映像信号入力部１４０から出力されるフレーム画像データが記憶される。
【００２１】
静止画像取得部１１０の詳細な処理については後述するが、映像信号入力部１４０から出力されるフレーム画像データを、静止画像データとして取得する機能部である。なお、静止画像取得部１１０によって実現される処理は、映像データのスクリーンキャプチャを行うことに相当する。
【００２２】
映像処理部１２０は、仮想バッファ１８００に記憶される画像データを映像として表示部１５０に表示する処理を行う機能部である。例えば、映像処理部１２０は、仮想バッファ１８００に記憶された画像データを、同期を取って読み出す。そして、表示部１５０の所定の表示領域に読み出した画像データが表示されるように、画像データを合成（マージ）し、画像データを合成して画像（映像）として表示部１５０に出力する。
【００２３】
表示部１５０は、映像処理部１２０によって合成された画像に基づいて映像を表示する機能部である。表示部１５０は、例えば、ＬＣＤ（Liquid Crystal Display；液晶ディスプレイ）や、有機ＥＬ（Electro-Luminescence）ディスプレイ等の表示装置によって構成される。
【００２４】
制御信号受信部１６０は、キャプチャ制御信号を受信する機能部である。キャプチャ制御信号とは、表示部１５０に表示される映像に対する指示（コマンド）を含んだ信号であり、例えば、ユーザによって操作されるリモコン装置から送信される。例えば、コマンドとして、静止画像データを表示部１５０に表示させるＣａｐｔｕｒｅコマンドが含まれる。なお、制御信号受信部１６０は、受信したキャプチャ制御信号を制御信号処理部１３０へ出力する。
【００２５】
制御信号処理部１３０は、制御信号受信部１６０によって受信されるキャプチャ制御信号に基づき、各機能部に対する制御を行う機能部である。各機能部に対する制御は、例えば、キャプチャ制御信号に含まれるコマンドに関係する機能部に処理命令を送信することにより実現する。その一例として、Ｃａｐｔｕｒｅコマンドが含まれるキャプチャ制御信号を受信した場合は、制御信号処理部１３０は、静止画像取得部１１０に対して、静止画像を取得するための処理命令を送信する。また、処理命令を受信した静止画像取得部１１０は、フレーム画像データの記憶先を切り替える処理を行う。
【００２６】
［１．３  映像信号入力部とフレームメモリとの関係］
図３を参照して、映像信号入力部１４０とフレームメモリ１８０との関係について説明する。
［１．３．１  通常の場合］
図３（ａ）は、映像信号及び画像データの流れを示した図であり、図３（ｂ）及び図３（ｃ）は映像処理部１２０によって表示部１５０に表示される映像の例を示した図である。
【００２７】
図３（ａ）は、本実施形態の表示装置１０を構成する機能部のうち、映像信号入力部１４０と、フレームメモリ１８０と、映像処理部１２０とを並べて、映像信号及び画像データの流れを示した図である。ここで、映像信号入力部１４０が、第１映像信号入力部１４０２、第２映像信号入力部１４０４、第３映像信号入力部１４０６、第４映像信号入力部１４０８の４つの入力系統によって構成されているとする。また、各入力系統に対応して、フレームメモリ１８０には、第１仮想バッファ１８０２、第２仮想バッファ１８０４、第３仮想バッファ１８０６、第４仮想バッファ１８０８が確保される。
【００２８】
通常、８Ｋが表示可能な表示部１５０において、８Ｋの映像を表示するためには、そのままでは表示できない場合がある。この場合、例えば、４Ｋの映像信号を４つ入力することにより、８Ｋの映像が表示可能となる。なお、本実施形態では、８Ｋを例に取って説明するが、１６Ｋ、３２Ｋといった高解像度の表示装置では同様なことが考えられる。
【００２９】
したがって、図３（ａ）に示すように、ＨＤＭＩ１〜４の映像信号は、映像信号入力部１４０に入力される。例えば、ＨＤＭＩ１の映像信号は、第１映像信号入力部１４０２に入力される。第１映像信号入力部１４０２は、映像信号からフレーム画像データをデコードし、第１仮想バッファ１８０２に出力する。これにより、第１仮想バッファ１８０２は、ＨＤＭＩ１の映像信号からデコードされるフレーム画像データを記憶する。
【００３０】
同様に、第２映像信号入力部１４０４に入力された映像信号（ＨＤＭＩ２）に基づくフレーム画像データは、第２仮想バッファ１８０４に記憶される。第３映像信号入力部１４０６に入力された映像信号（ＨＤＭＩ３）に基づくフレーム画像データは、第３仮想バッファ１８０６に記憶される。第４映像信号入力部１４０８に入力された映像信号（ＨＤＭＩ４）に基づくフレーム画像データは、第４仮想バッファ１８０８に記憶される。
【００３１】
また、映像出力装置は、所定の速度（例えば、１秒間に６０フレーム）で映像信号を送信する。したがって、映像信号入力部１４０は、映像信号の速度に合わせてフレーム画像データを出力する。また、仮想バッファ１８００に記憶されるフレーム画像データは、映像信号入力部１４０から出力されるフレーム画像データに応じて上書きされる。
【００３２】
映像処理部１２０は、第１仮想バッファ１８０２、第２仮想バッファ１８０４、第３仮想バッファ１８０６、第４仮想バッファ１８０８に記憶されたフレーム画像データを、同期を取って読み出す。
【００３３】
図３（ａ）において、映像処理部１２０は、第１仮想バッファ１８０２から読み出したフレーム画像データを表示部１５０の表示領域を左上に、第２仮想バッファ１８０４から読み出したフレーム画像データを表示部１５０の表示領域を右上に、第３仮想バッファ１８０６から読み出したフレーム画像データを表示部１５０の表示領域を左下に、第４仮想バッファ１８０８から読み出したフレーム画像データを表示部１５０の表示領域を右下にそれぞれ表示する。このように、映像処理部１２０は、仮想バッファ１８００から読み出した画像データを、所定の場所に配置する。この結果、４つの入力系統から入力された映像信号であるＨＤＭＩ１と、ＨＤＭＩ２と、ＨＤＭＩ３と、ＨＤＭＩ４とに基づく映像が、表示部１５０に表示される。
【００３４】
また、ＨＤＭＩ１〜４に、４台の映像出力装置が接続されている場合、表示部１５０の左上、右上、左下、右下の表示領域に、それぞれの映像出力装置から出力された映像信号に基づく映像が表示される。このように、表示部１５０の表示領域を分割して、それぞれの領域に映像（フレーム画像データに基づく画像）を表示させる表示方法をマルチ画面表示という。
【００３５】
［１．３．２  本実施形態のマルチ画面表示］
つづいて、図４を参照して本実施形態における表示装置１０のマルチ画面表示について説明する。図４（ａ）は、マルチ画面表示を行う場合における映像信号及び画像データの流れを示した図であり、図４（ｂ）は映像処理部１２０によって表示部１５０に表示される映像の例を示した図である。なお、以下の説明では、第１映像信号入力部１４０２に、映像出力装置であるＰＣ１と接続されることとして説明する。
【００３６】
図４（ａ）に示すように、第１映像信号入力部１４０２は、ＰＣ１から映像信号（ＨＤＭＩ１）が入力される。第１映像信号入力部１４０２は、映像信号からフレーム画像データをデコードし、第１仮想バッファ１８０２に記憶する。
【００３７】
ここで、制御信号受信部１６０がキャプチャ制御信号を受信（例えば、Ｃａｐｔｕｒｅコマンドを含む無線信号をリモコン装置から受信）したとき、制御信号処理部１３０は、静止画像取得部１１０に対して静止画像データを取得する処理を実行することを示す処理命令を送信する。
【００３８】
静止画像取得部１１０は、静止画像取得処理を実行し、第１映像信号入力部１４０２から出力されるフレーム画像データを静止画像データとして取得する。具体的には、第１映像信号入力部１４０２から出力されるフレーム画像データの記憶先を、第２仮想バッファ１８０４、第３仮想バッファ１８０６、第４仮想バッファ１８０８の何れかに切り替える。すなわち、第２仮想バッファ１８０４、第３仮想バッファ１８０６、第４仮想バッファ１８０８にはフレーム画像データが静止画像データとして記憶される。
【００３９】
このように、静止画像取得部１１０は、任意のタイミングでフレームメモリ１８０の何れかの仮想バッファ１８００にフレーム画像データを静止画像データとして記憶する制御を行う。なお、静止画像取得部１１０は、フレーム画像データの記憶が完了したら、第１映像信号入力部１４０２のフレーム画像データの出力先を第１仮想バッファ１８０２に切り替える。このようにすることで、映像信号が入力されていない映像信号入力部１４０に対応する仮想バッファ１８００に、フレーム画像データを静止画像データとして記憶させることが可能となる。
【００４０】
映像処理部１２０は、仮想バッファ１８００に記憶されたフレーム画像データを合成して表示部１５０に表示する。これにより、映像処理部１２０は、表示部１５０に、映像信号に基づく映像（メイン映像）と、映像信号をキャプチャした静止画像とを表示させることが可能となる。
【００４１】
図４（ｂ）は本実施形態のマルチ画面表示の表示例である。ここで、静止画像データを記憶する第２仮想バッファ１８０４をメモリ１、第３仮想バッファ１８０６をメモリ２、第４仮想バッファ１８０８をメモリ３とする。そうすると、図４（ｂ）に示すように、映像信号入力部１４０２に入力された映像信号（ＨＤＭＩ１）に基づくフレーム画像データと、メモリ１に記憶された静止画像データと、メモリ２に記憶された静止画像データと、メモリ３に記憶された静止画像データとが映像処理部１２０によって合成されて、表示部１５０に表示される。このように、表示部１５０には、映像信号入力部１４０に入力された映像信号に基づく映像（フレーム画像）と、映像からキャプチャされた静止画像とが、それぞれ異なる表示領域に表示されることとなる。
【００４２】
上述したように、通常の場合であれば、所定の数の出力ポート（上述の例では、４つの出力ポート）を有する映像出力装置や、複数の映像出力装置（例えば、ＰＣ１、ＰＣ２、ＰＣ３、ＰＣ４の４台）が必要であり、手間や費用がかかる。しかし、本実施形態の表示装置１０は、１台の映像出力装置としか接続されていなくても、マルチ画面表示を実現することが可能となる。
【００４３】
また、通常の場合であれば、仮想バッファ１８００に記憶されるフレーム画像データは表示装置１０に入力される映像信号に基づいて上書きされるため、フレーム画像データを静止画像データとして記憶するためには、フレームメモリ１８０とは異なる記憶部が必要となる。しかし、本実施形態の表示装置１０は、フレームメモリ１８０に静止画像データを記憶するため、映像信号のキャプチャを実現するために、フレームメモリ１８０以外の記憶部を設ける必要がない。
【００４４】
なお、上述した説明では、第１映像信号入力部１４０２に映像信号が入力されることとして説明したが、第２映像信号入力部１４０４、第３映像信号入力部１４０６、第４映像信号入力部１４０８のいずれかに映像信号が入力された場合も、同様の処理を行う。すなわち、映像信号の入力された映像信号入力部１４０に対応する仮想バッファ１８００に、入力された映像信号に基づくフレーム画像データを記憶する。また、フレーム画像データが記憶された仮想バッファ１８００以外の仮想バッファ１８００には、静止画像データを記憶する。そして、映像処理部１２０は、仮想バッファ１８００に記憶された画像データを合成し、表示部１５０に表示する。このように、複数の映像信号入力部１４０のうち、１の映像信号入力部に映像信号が入力されることで、表示部１５０における複数の表示領域のうち、１の表示領域にフレーム画像を表示し、他の表示領域に静止画像を表示することができる。
【００４５】
［１．４  処理の流れ］
つづいて、図５を参照して、本実施形態の静止画像取得処理を含む処理について説明する。ここで、ステップＳ１０４から、ステップＳ１１２までの処理が、静止画像取得部１１０が実行する処理である。なお、説明を簡略化するために、映像信号が第１映像信号入力部１４０２に入力されることとして説明する。
【００４６】
はじめに、制御信号処理部１３０は、制御信号受信部１６０によって、Ｃａｐｔｕｒｅコマンドを含むキャプチャ制御信号を受信したか否かを判定する（ステップＳ１０２）。Ｃａｐｔｕｒｅコマンドを含むキャプチャ制御信号を受信した場合は、制御信号処理部１３０は静止画像取得部１１０に静止画像を取得するための処理命令を送信する。なお、Ｃａｐｔｕｒｅコマンドが受信されない場合は、ステップＳ１０２の判定を繰り返す。また、この場合は、第１映像信号入力部１４０２に入力された映像信号に基づくフレーム画像データは、第１映像信号入力部１４０２に対応する第１仮想バッファ１８０２に記憶される。
【００４７】
Ｃａｐｔｕｒｅコマンドを含むキャプチャ制御信号を受信した場合（ステップＳ１０２；Ｙｅｓ）、静止画像取得部１１０は、制御信号処理部１３０から受信した処理命令に基づき、静止画像データを取得するための処理を行う。はじめに、静止画像取得部１１０は、フレーム画像データを出力する仮想バッファを特定する。すなわち、フレーム画像データを静止画像データとして記憶する記憶先を、仮想バッファ１８００の中から特定する（ステップＳ１０４）。
【００４８】
また、静止画像取得部１１０は、第１映像信号入力部１４０２のフレーム画像データの出力先を、ステップＳ１０４で特定した記憶先に切り替える（ステップＳ１０６）。その結果、フレーム画像データが記憶された第１仮想バッファ１８０２以外の仮想バッファ１８００に、フレーム画像データが静止画像データとして記憶される（ステップＳ１０８）。
【００４９】
静止画像取得部１１０は、フレーム画像データが静止画像データとして記憶されたと判定した場合は（ステップＳ１１０；Ｙｅｓ）、フレーム画像データの出力先を、映像信号が入力されている第１映像信号入力部１４０２と対応する第１仮想バッファ１８０２に戻す（ステップＳ１１２）。フレーム画像データが静止画像データとして記憶されたか否かは、フレーム画像データを記憶する処理が完了したか否かによって判定してもよいし、１フレームの時間が経過したか否かによって判定してもよい。このようにすることで、第１映像信号入力部１４０２と対応する第１仮想バッファ１８０２にフレーム画像データが記憶されることとなる。
【００５０】
ここで、第１映像信号入力部１４０２がフレーム画像データを出力する仮想バッファを特定し、静止画像データとして記憶する方法として、以下の方法が考えられる。
【００５１】
（１）第１映像信号入力部１４０２がフレーム画像データを出力する仮想バッファ１８００を、キャプチャ履歴に基づいて順に切り替える方式であり、この場合の処理（静止画像取得処理）について図６を参照して説明する。なお、キャプチャ履歴とは、前回静止画像データを記憶した仮想バッファ１８００を記憶したデータである。キャプチャ履歴は、静止画像取得部１１０が記憶してもよいし、記憶部１７０に記憶されていてもよい。
【００５２】
まず、静止画像取得部１１０は、キャプチャ履歴に基づき、第１映像信号入力部１４０２がフレーム画像データを出力する出力先、すなわちフレーム画像データを静止画像データとして記憶する仮想バッファの位置を判定する。
【００５３】
具体的には、前回静止画像データを記憶していない（キャプチャ履歴がない）場合又は前回第４仮想バッファ１８０８（メモリ３）に静止画像データを記憶している場合は（ステップＳ１５０；Ｙｅｓ）、静止画像データを第２仮想バッファ１８０４（メモリ１）に記憶する。すなわち、第１映像信号入力部１４０２の出力先を１フレームだけ第２仮想バッファ１８０４に切り替える。これにより、第２仮想バッファ１８０４にフレーム画像データが１フレーム分出力され、静止画像データとして、第２仮想バッファ１８０４に記憶される（ステップＳ１５２）。
【００５４】
また、前回第２仮想バッファ１８０４（メモリ１）に静止画像データを記憶している場合（ステップＳ１５０；ＮｏステップＳ１５４；Ｙｅｓ）、静止画像データを第３仮想バッファ１８０６（メモリ２）に記憶する。すなわち、第１映像信号入力部１４０２の出力先を１フレームだけ第３仮想バッファ１８０６に切り替える。これにより、第３仮想バッファ１８０６にフレーム画像データが１フレーム分出力され、静止画像データとして、第３仮想バッファ１８０６に記憶される（ステップＳ１５６）。
【００５５】
また、前回第３仮想バッファ１８０６（メモリ２）に静止画像データを記憶している場合（ステップＳ１５４；ＮｏステップＳ１５８；Ｙｅｓ）、静止画像データを第４仮想バッファ１８０８（メモリ３）に記憶する。すなわち、第１映像信号入力部１４０２の出力先を１フレームだけ第４仮想バッファ１８０８に切り替える。これにより、第４仮想バッファ１８０８にフレーム画像データが１フレーム分出力され、静止画像データとして、第４仮想バッファ１８０８に記憶される（ステップＳ１６０）。
【００５６】
（２）静止画像取得部１１０は、静止画像データの記憶回数を記憶し、静止画像データの記憶回数と静止画像データの記憶先となる仮想バッファ１８００の数との剰余を求め、剰余に対応する仮想バッファ１８００を記憶先として特定する。例えば、静止画像データの記憶先となる仮想バッファ１８００の数が３である場合は、剰余が１のときにメモリ１、剰余が２のときにメモリ２、剰余が０のときにメモリ３に記憶する。このようにして、フレーム画像データを出力する仮想バッファ１８００を順に切り替える。
【００５７】
（３）キャプチャ制御信号に、静止画像データを表示する表示領域を特定するための出力先情報を含めることとして、静止画像取得部１１０は、キャプチャ制御信号に含まれる出力先情報に基づいて記憶先を特定する。出力先情報は、例えば、画像が出力される表示領域を特定する番号である。具体的には、表示部１５０における左上の表示領域を「１」、右上の表示領域を「２」、左下の表示領域を「３」、右下の表示領域を「４」といったように、表示領域に対応する番号を予め決めておくことで、番号によって表示領域を特定することができる。
【００５８】
ここで、受信したキャプチャ制御信号に、Ｃａｐｔｕｒｅコマンドと出力先情報として番号（例えば、「２」）が含まれる場合は、番号から特定される表示領域に対応する仮想バッファ１８００（例えば、右上に対応する第２仮想バッファ１８０４）を静止画像データの記憶先として特定する。
【００５９】
つづいて、映像処理部１２０は、仮想バッファ１８００に記憶された画像データ（フレーム画像データ／静止画像データ）を読み出し、読み出した画像データを合成した映像を、表示部１５０に表示する処理を行う（ステップＳ１１４）。なお、画像データ（静止画像データ）が記憶されていない仮想バッファ１８００がある場合は、映像処理部１２０は、対応する表示領域に特定の画面（例えば、黒い画面や青い画面、特定の画像が表示された画面）を表示させるようにしてもよい。ステップＳ１１４の処理が完了したら、ステップＳ１０２へ戻る。
【００６０】
上述した説明では、映像信号が第１映像信号入力部１４０２に入力される場合について説明したが、映像信号が第１映像信号入力部１４０２以外の映像信号入力部１４０に入力された場合は、それに対応して静止画像取得部１１０の処理や、静止画像データを記憶する仮想バッファ１８００を変える。例えば、映像信号が第２映像信号入力部１４０４に入力された場合は、フレーム画像データは、第２映像信号入力部１４０４に対応した第２仮想バッファ１８０４に記憶される。そして、それに対応して、静止画像取得部１１０は、静止画像データの記憶先を、第１仮想バッファ１８０２（メモリ１）、第３仮想バッファ１８０６（メモリ２）、第４仮想バッファ１８０８（メモリ３）の何れかから特定する。
【００６１】
［１．５  動作例］
図７と図８を参照して、本実施形態の動作例について説明する。図７は本実施形態においてキャプチャ制御信号を送信するリモコン装置Ｒ１００の例であり、図８は本実施形態におけるマルチ画面表示を行っているときに表示部１５０に表示される表示画面Ｗ１００、Ｗ１０２、Ｗ１０４の表示例である。また、表示装置１０には、映像信号入力部１４０が４つあり、そのうちの第１映像信号入力部１４０２に映像信号が入力されることとして説明する。
【００６２】
図７に示したリモコン装置Ｒ１００は、ＣａｐｔｕｒｅボタンＢ１００と、キャプチャ番号ボタンＢ１１１、Ｂ１１２、Ｂ１１３、Ｂ１１４と、番号ボタンＢ１２１、Ｂ１２２、Ｂ１２３、Ｂ１２４とが備えられている。キャプチャ番号ボタン及び番号ボタンは、マルチ画面表示の表示領域の位置と対応する。例えば、キャプチャ番号ボタンＢ１１１と番号ボタンＢ１２１とは左上の表示領域に対応する。同様にして、キャプチャ番号ボタンＢ１１２と番号ボタンＢ１２２とは右上の表示領域に対応し、キャプチャ番号ボタンＢ１１３と番号ボタンＢ１２３とは左下の表示領域に対応し、キャプチャ番号ボタンＢ１１４と番号ボタンＢ１２４とは右下の表示領域に対応する。
【００６３】
ここで、ユーザによってＣａｐｔｕｒｅボタンＢ１００が選択されると、リモコン装置Ｒ１００はＣａｐｔｕｒｅコマンドを含むキャプチャ制御信号を表示装置１０へ送信する。また、Ｃａｐｔｕｒｅコマンドを含むキャプチャ制御信号を受信した表示装置１０は、静止画像データを、メイン映像（映像信号入力部１４０に入力されている現在の映像）を表示する表示領域とは異なる表示領域に表示する制御を行う。
【００６４】
また、静止画像データを表示する位置をユーザによって指定されてもよい。例えば、ユーザによってＣａｐｔｕｒｅボタンＢ１００が選択された後、さらに、番号ボタンＢ１２１、Ｂ１２２、Ｂ１２３、Ｂ１２４の何れかが選択されたら、リモコン装置Ｒ１００は、Ｃａｐｔｕｒｅコマンドと出力先情報とを含めたキャプチャ制御信号を、表示装置１０に送信する。なお、キャプチャ番号ボタンＢ１１１、Ｂ１１２、Ｂ１１３、Ｂ１１４の何れかが選択された場合も、リモコン装置Ｒ１００は、Ｃａｐｔｕｒｅコマンドと出力先情報とを含めたキャプチャ制御信号を、表示装置１０に送信してもよい。
【００６５】
例えば、右上の表示領域に対応する番号ボタンＢ１１２が選択されたら、リモコン装置は、Ｃａｐｔｕｒｅコマンドと、出力先情報として「２」とを含むキャプチャ制御信号を表示装置１０へ送信する。このとき、表示装置１０の静止画像取得部１１０は、出力先情報に基づき静止画像データを仮想バッファ１８００に記憶する。したがって、表示装置１０の表示部１５０には、ユーザが指定した表示領域である「２」の位置（本実施形態では、右上）に、静止画像データが表示されることとなる。
【００６６】
マルチ画面表示の表示例を、図８を参照して説明する。図８（ａ）は、フレーム画像データが静止画像データとして仮想バッファ１８００（第２仮想バッファ１８０４、第３仮想バッファ１８０６、第４仮想バッファ１８０８）のいずれにも記憶されていない場合の表示画面Ｗ１００の例である。この場合は、映像信号が入力されている第１映像信号入力部１４０２に対応する第１仮想バッファ１８０２のみに、フレーム画像データが記憶されることとなり、結果として、映像信号からデコードされたフレーム画像が連続して表示部１５０に表示される（すなわち、映像として表示される）こととなる。したがって、図８（ａ）の表示画面Ｗ１００のように、左上の表示領域に映像が表示されることとなる。
【００６７】
ここで、表示装置１０が、Ｃａｐｔｕｒｅコマンドを含むキャプチャ制御信号を受信したら、映像信号が入力されている第１映像信号入力部１４０２から出力されるフレーム画像データの表示領域とは異なる表示領域に、静止画像データを表示する。例えば、表示装置１０の静止画像取得部１１０は、第２仮想バッファ１８０４にメイン映像のフレーム画像データを静止画像データとして記憶する。そして、映像処理部１２０によって、メイン映像のフレーム画像データと、静止画像データとが合成され、図８（ｂ）の表示画面Ｗ１０２のように、左上の表示領域にメイン映像が、右上の表示領域にメイン映像をキャプチャした静止画像が表示される。表示装置１０が静止画像データを取得した時点においては、メイン映像と、静止画像とは、ほぼ同一の映像（画像）である。
【００６８】
また、図８（ｃ）は、静止画像データが取得された後、ユーザによってＰＣ２０が操作された場合における表示画面Ｗ１０４の表示例である。ユーザによってＰＣ２０が操作されることで、ＰＣ２０から出力される映像信号が変わり、表示部１５０の左上の表示領域に表示されるメイン映像は、図８（ｂ）と図８（ｃ）とは異なる。しかし、第２仮想バッファ１８０４に記憶された静止画像データは上書きされないため、右上の表示領域に表示される静止画像は、図８（ｂ）と図８（ｃ）とで同じ画像となる。
【００６９】
本実施形態によれば、映像信号の入力系統が１系統であっても、マルチ画面表示が可能となる。また、通常の８Ｋ表示を実現するために使用されるフレームメモリ１８０に静止画像データを記憶させる。したがって、通常の８Ｋ表示が可能な表示装置に、新たな機能部を追加することなく、マルチ画面表示を実現することが可能となる。
【００７０】
また、ユーザは、ＰＣ２０を用いて作業を進めている場合に、リモコン装置Ｒ１００のボタンを選択する操作により、ＰＣ２０から出力される映像信号に基づく静止画像データを、表示装置１０に並べて表示させることができる。したがって、ユーザは、ＰＣ２０の画面を見ながら、資料の比較等をすることができるため、作業効率の向上が望める。
【００７１】
なお、上述した説明では、表示装置１０がマルチ画面表示を行う場合、映像処理部１２０が、それぞれ異なる仮想バッファ１８００に記憶された画像データを読み出して合成した映像を表示することとして説明したが、このような合成以外の方法で合成してもよい。例えば、映像処理部１２０は、１の仮想バッファ１８００に記憶された画像データを複数の位置に合成することで、図９に示す動作例のように、第１仮想バッファ１８０２に記憶された画像データを、表示部１５０の左上、右上、左下、右下の４つの表示領域に表示させてもよい。
【００７２】
［２．第２実施形態］
つづいて、第２実施形態について説明する。第２実施形態は、第１実施形態と異なり、静止画像取得部１１０が、仮想バッファ１８００に記憶されたフレーム画像データを、別の仮想バッファ１８００にコピーする実施形態である。なお、本実施形態の機能構成及び処理の流れは、第１実施形態と同一であるためその説明を省略する。
【００７３】
本実施形態におけるマルチ画面表示の概要を図１０に示す。図１０は、映像信号入力部１４０のうち、第１映像信号入力部のみに、映像出力装置であるＰＣ１から映像信号（ＨＤＭＩ１）が入力されている状態を示した図である。この場合、映像信号ＨＤＭＩ１に基づくフレーム画像データは、第１仮想バッファ１８０２に記憶される。
【００７４】
ここで、静止画像取得部１１０が、第１仮想バッファ１８０２に記憶されるフレーム画像データを、第２仮想バッファ１８０４、第３仮想バッファ１８０６、第４仮想バッファ１８０８の何れかの仮想バッファにコピーする。このようにすることで、フレーム画像データが記憶された第１仮想バッファ１８０２以外の仮想バッファ１８００（映像信号が入力されていない映像信号入力部１４０に対応する仮想バッファ１８００）に、フレーム画像データを静止画像データとして記憶させることが可能となる。
【００７５】
処理の流れとしては、図５のステップＳ１０６において、静止画像取得部１１０は、仮想バッファ１８００のうち、映像信号が入力されている映像信号入力部１４０に対応する仮想バッファ１８００に記憶されているフレーム画像データを読み出す。また、静止画像取得部１１０は、読み出したフレーム画像データを一時的に記憶する。フレーム画像データを一時的に記憶する記憶領域は、静止画像取得部１１０が備えていてもよいし、記憶部１７０に確保されていてもよい。
【００７６】
そして、ステップＳ１０８において、静止画像取得部１１０は、一時的に記憶したフレーム画像データを、ステップＳ１０４で特定した記憶先に静止画像データとして記憶する。このようにすることで、フレーム画像データを、映像信号が入力されている映像信号入力部１４０に対応する仮想バッファ１８００とは異なる仮想バッファ１８００に、フレーム画像データを静止画像データとしてコピーすることができる。
【００７７】
このように、本実施形態によれば、仮想バッファ１８００に記憶されたフレーム画像データを別の仮想バッファ１８００にコピーすることによって、マルチ画面表示を実現できる。
【００７８】
［３．第３実施形態］
つづいて、第３実施形態について説明する。第３実施形態は、第１実施形態と異なり、フレーム画像データの出力先をハードウェアによって切り替える実施形態である。
【００７９】
本実施形態における、表示装置１２の機能構成を、図１１に示す。本実施形態の表示装置１２は、第１実施形態の表示装置１０に、スイッチャ１９０が追加され、制御部１００から静止画像取得部１１０が除かれている点が異なる。スイッチャ１９０は、フレーム画像データの出力先を切り替えるハードウェアである。表示装置１２は、映像信号入力部１４０によって、デコードされ出力されたフレーム画像データの記憶先となる仮想バッファ１８００を、スイッチャ１９０によって切り替える。すなわち、静止画像取得部１１０の役割を、スイッチャ１９０によって実現する。なお、仮想バッファ１８００に記憶された画像データを読み出す場合は、スイッチャ１９０を用いず、仮想バッファ１８００に記憶された画像データを読み出す。
【００８０】
本実施形態におけるマルチ画面表示の概要を図１２に示す。図１２は、本実施形態の表示装置１２を構成する機能部のうち、映像信号入力部１４０と、スイッチャ１９０と、フレームメモリ１８０と、映像処理部１２０とを並べて、映像信号及び画像データの流れを示した図である。このように、例えば、図１２に示したスイッチャ１９０は、第１映像信号入力部１４０２から出力されるフレーム画像データを、第１仮想バッファ１８０２、第２仮想バッファ１８０４、第３仮想バッファ１８０６、第４仮想バッファ１８０８のうち、何れの仮想バッファ１８００に出力するかを切り替えることができる。なお、スイッチャ１９０は、第２映像信号入力部１４０４、第３映像信号入力部１４０６、第４映像信号入力部１４０８から出力されるフレーム画像データを、第１仮想バッファ１８０２、第２仮想バッファ１８０４、第３仮想バッファ１８０６、第４仮想バッファ１８０８のうちの何れかに出力するかを切り替えられてもよい。
【００８１】
本実施形態におけるメイン処理の処理フローに図１３に示す。はじめに、制御信号処理部１３０は、Ｃａｐｔｕｒｅコマンドを含むキャプチャ制御信号を受信したか否かを判定する（ステップＳ３０２）。Ｃａｐｔｕｒｅコマンドを含むキャプチャ制御信号を受信した場合は、制御信号処理部１３０は、キャプチャ制御信号を制御部１００へ送信する。
【００８２】
つづいて、制御部１００は、フレーム画像データを静止画像データとして記憶する記憶先を特定する（ステップＳ３０４）。例えば、第１実施形態のステップＳ１０４のように、キャプチャ履歴や、静止画像データの記憶回数や、キャプチャ制御信号に含まれる出力先情報に基づいて特定すればよい。
【００８３】
つづいて、制御部１００は、ステップＳ３０４で特定した記憶先にフレーム画像データが記憶されるように、スイッチャ１９０の出力先を切り替える（ステップＳ３０６）。このようにすることで、映像信号入力部１４０と対応する仮想バッファ１８００とは異なる仮想バッファ１８００にフレーム画像データが出力される。また、フレーム画像データが静止画像データとして、仮想バッファ１８００に記憶されることとなる。
【００８４】
つづいて、ステップＳ３０６で切り替えた出力先の仮想バッファ１８００にフレーム画像データが記憶されたら（ステップＳ３０８；Ｙｅｓ）、制御部１００は、スイッチャ１９０の出力先を、映像信号入力部１４０と対応する仮想バッファ１８００に切り替える（ステップＳ３１０）。このようにすることで、映像信号入力部１４０と対応する仮想バッファ１８００にフレーム画像データを記憶されることとなる。
【００８５】
つづいて、映像処理部１２０は、仮想バッファ１８００に記憶された画像データ（フレーム画像データ／静止画像データ）を読み出し、読み出した画像データを合成した映像を、表示部１５０に表示する処理を行う（ステップＳ３１２）。そして、ステップＳ３０２へ戻る。
【００８６】
ここで、図１２に示す状態における、本実施形態のメイン処理について説明する。スイッチャ１９０は、第１映像信号入力部１４０２から出力されるフレーム画像データを、第１映像信号入力部１４０２に対応する第１仮想バッファ１８０２に記憶されるように出力先を設定する。ここで、Ｃａｐｔｕｒｅコマンドを含むキャプチャ制御信号を受信した場合は、スイッチャ１９０は、第１映像信号入力部１４０２から出力されるフレーム画像データの記憶先を、第２仮想バッファ１８０４、第３仮想バッファ１８０６、第４仮想バッファ１８０８の何れかに切り替える。このようにすることで、第１映像信号入力部１４０２に基づくフレーム画像データが記憶された第１仮想バッファ１８０２以外の仮想バッファ１８００に、フレーム画像データを静止画像データとして記憶することができる。
【００８７】
このように、本実施形態によれば、フレーム画像データを記憶する仮想バッファ１８００を、スイッチャ１９０によって切り替えることによって、フレーム画像データを静止画像データとして記憶（取得）することができる。したがって、映像信号の入力系統が１系統であっても、スイッチャ１９０により、マルチ画面表示が可能となる。
【００８８】
［４．第４実施形態］
つづいて、第４実施形態について説明する。第４実施形態は、第１実施形態に記載した処理に加えて、マルチ画面表示において、静止画像データを表示する表示領域を入れ替える処理を行う実施形態である。
【００８９】
本実施形態では、制御信号処理部１３０は、キャプチャ制御信号として、静止画像データの表示位置を入れ替えるＳｗａｐコマンドと、静止画像データの表示位置が２つ指定された出力先情報を含んだキャプチャ制御信号を受信する。また、制御部１００は、Ｓｗａｐコマンドを含んだキャプチャ制御信号を受信したら、出力先情報に基づいて、指定された２つの表示位置に表示される静止画像データを入れ替える。
【００９０】
静止画像データの入れ替えは、仮想バッファ１８００に記憶された静止画像データを入れ替えてもよいし、映像処理部１２０において、静止画像データを合成する位置を変えてもよい。
【００９１】
本実施形態の動作例を、図１４を示して説明する。図１４（ａ）は、本実施形態におけるリモコン装置Ｒ４００の例である。また、図１４（ｂ）は静止画像データを入れ替える前に表示部１５０に表示されるマルチ画面表示の表示画面Ｗ４００の例であり、図１４（ｃ）は静止画像データを入れ替えた後に表示部１５０に表示されるマルチ画面表示の表示画面Ｗ４０２の表示例である。
【００９２】
図１４（ａ）に示すように、本実施形態におけるリモコン装置Ｒ４００は、図７で示したリモコン装置Ｒ１００に、さらにＳｗａｐボタンＢ１０１が追加されている点が異なる。ここで、ユーザによって、ＳｗａｐボタンＢ１０１が選択された後に、さらに番号ボタンＢ１２１〜Ｂ１２４のうち、異なる２つの番号ボタンが選択された場合は、リモコン装置はＳｗａｐコマンドと、選択された位置ボタンに対応する出力先情報とを含むキャプチャ制御信号を表示装置１０へ送信する。例えば、ユーザによって、ＳｗａｐボタンＢ１０１が選択された後に、番号ボタンＢ１２２と、番号ボタンＢ１２３とが選択された場合は、リモコン装置は、Ｓｗａｐコマンドと、出力先情報として「２」と「３」を含んだキャプチャ制御信号を表示装置１０に送信する。キャプチャ制御信号を受信した表示装置１０は、「２」に対応する右上の表示領域と「３」に対応する左下の表示領域とに表示される静止画像データを入れ替える。
【００９３】
例えば、静止画像データを入れ替える前は、図１４（ｂ）のように、表示領域の番号が「２」である右上にはメモリ１の画像データが表示され、表示領域の番号が「３」である左下にはメモリ２の画像データが表示された表示画面Ｗ４００が表示されていたとする。このとき、表示装置１０がＳｗａｐコマンドと、位置情報として「２」と「３」を含んだキャプチャ制御信号を受信した場合は、表示装置１０は、メモリ１に記憶された画像データと、メモリ２に記憶された画像データとを入れ替える。その結果、図１４（ｃ）に示すように、表示装置１０は、左上には画像の入れ替え前にメモリ２に記憶されていた画像データを表示し、右下には画像の入れ替え前にメモリ１に記憶されていた画像データを表示した表示画面Ｗ４０２を表示する。
【００９４】
本実施形態によれば、表示装置１０は、ユーザによるリモコン装置の操作に基づいて、静止画像データを表示させる表示領域を切り替えることができ、ユーザにとって見やすい位置に静止画像データを表示部１５０に表示させることが可能となる。
【００９５】
［５．第５実施形態］
つづいて、第５実施形態について説明する。第５実施形態は第１実施形態と異なり、キャプチャ制御信号を、リモコン装置ではなく、映像出力装置から送信されるＣＥＣ（Consumer Electronics Control）といった機器制御信号によって受信する実施形態である。
【００９６】
本実施形態の全体構成を図１５に示す。図１５に示すように、表示装置１０は、映像出力装置であるＰＣ２０とＨＤＭＩケーブルによって接続されている。ここで、ＰＣ２０では、キャプチャ制御信号を送信するためのアプリが実行さる。そして、ユーザによってアプリに対して所定の操作を行われた場合は、ＰＣ２０から表示装置１０へ、ＨＤＭＩケーブルを介して、機器制御信号であるＣＥＣによって、キャプチャ制御信号が送信される。
【００９７】
図１６と図１７とを参照して、本実施形態の動作例について説明する。図１６（ａ）は、ＰＣ２０の画面の一部分にキャプチャ制御信号を送信するためのアプリを表示した画面例であり、図１６（ｂ）はアプリを拡大したものである。また、図１６（ｃ）は表示部１５０に静止画像データが表示される前のマルチ画面表示の表示例であり、図１６（ｄ）は表示部１５０に静止画像データが表示された後のマルチ画面表示の表示例である。また、図１７（ａ）は静止画像データを入れ替える前に表示部１５０に表示されるマルチ画面表示の表示例であり、図１７（ｂ）は静止画像データを入れ替えた後に表示部１５０に表示されるマルチ画面表示の表示例である。
【００９８】
図１６（ａ）に示すように、ユーザが操作するＰＣ２０には、表示画面Ｗ５００に示すように作業画面が表示され、表示画面Ｗ５００の一部分に、キャプチャ制御信号を送信するためのアプリの表示画面Ｗ５０２が表示される。アプリの表示画面Ｗ５０２には、ユーザが選択可能なボタンが表示されており、ユーザはボタンを選択することにより、表示装置１０に対してキャプチャ制御信号を送信することができる。
【００９９】
アプリの表示画面Ｗ５０２には、図１６（ｂ）に示すように、ＣａｐｔｕｒｅボタンＢ５００と、番号ボタンＢ５０１、Ｂ５０２、Ｂ５０３とが表示されている。番号ボタンＢ５０１、Ｂ５０２、Ｂ５０３は、マルチ画面表示における表示領域の位置と対応している。番号ボタンＢ５０１は右上の表示領域に、位置ボタンＢ５０２は左下の表示領域に、位置ボタンＢ５０３は右下の表示領域にそれぞれ対応する。なお、本実施形態では、表示領域に対応する番号を、右上の表示領域を「１」、左下の表示領域を「２」、右下の表示領域を「３」として説明する。
【０１００】
また、図１６（ｃ）に示すように、本実施形態のマルチ表示画面の表示画面Ｗ５０４は、左上にフレーム画像データに基づく画像（映像）を表示する表示領域が含まれ、右上と左下と右下とに、それぞれメモリ１、メモリ２、メモリ３に記憶された静止画像データに基づく静止画像を表示する表示領域が含まれている。なお、表示画面Ｗ５０４は、メモリ１、メモリ２、メモリ３に静止画像データが記憶されておらず、静止画像の表示領域に、特定の画面として黒い画面が表示されている画面の例である。
【０１０１】
ここで、ユーザによってＣａｐｔｕｒｅボタンＢ５００が選択されたら、ＰＣ２０はＨＤＭＩのＣＥＣによって、Ｃａｐｔｕｒｅコマンドを含むキャプチャ制御信号を表示装置１０へ送信する。Ｃａｐｔｕｒｅコマンドを含むキャプチャ制御信号を受信した表示装置１０は、静止画像データを、メモリ１、メモリ２、メモリ３、メモリ１、メモリ２、メモリ３、の順に記憶する。このようにすることで、マルチ画面表示において、静止画像データが、右上、左下、右下、右上、左下、右下の順に表示される。例えば、表示部１５０に、図１６（ｃ）に示す表示画面Ｗ５０４が表示されているとする。このとき、ユーザによってＣａｐｔｕｒｅボタンＢ５００が選択されたら、図１６（ｄ）に示すように、表示部１５０には、右上の領域に静止画像データが表示された表示画面Ｗ５０６が表示される。
【０１０２】
また、ユーザによって、番号ボタンＢ５０１、Ｂ５０２、Ｂ５０３のうち、２つの番号ボタンが選択された場合は、ＰＣ２０はＨＤＭＩのＣＥＣによって、Ｓｗａｐコマンドと、選択された位置に対応する出力先情報とを含むキャプチャ制御信号を表示装置１０へ送信する。例えば、ユーザによって、番号ボタンＢ５０１が選択された後に、番号ボタンＢ５０２が選択された場合は、ＰＣ２０は、Ｓｗａｐコマンドと、出力先情報として「１」と「２」を含んだキャプチャ制御信号を表示装置１０に送信する。キャプチャ制御信号を受信した表示装置１０の制御部１００は、「１」に対応する表示領域（本実施形態では、右上）に表示している静止画像データと「２」に対応する表示領域（本実施形態では、左下）に表示している静止画像データとを入れ替える。
【０１０３】
例えば、画像を入れ替える前は図１７（ａ）に示すように、右上にはメモリ１の静止画像データが表示され、左下にはメモリ２の静止画像データが表示された表示画面Ｗ５０８が表示部１５０に表示されていたとする。このとき、表示装置１０がＳｗａｐコマンドと、出力先情報として「１」と「２」を含んだキャプチャ制御信号を受信した場合は、表示装置１０の制御部１００は、右上に表示している画像データと、左下に表示している画像データとを入れ替える。その結果、図１７（ｂ）に示すように、右上にはメモリ２の画像データが表示され、左下にはメモリ１の画像データが表示された表示画面Ｗ５１０が表示部１５０に表示される。
【０１０４】
なお、画像データの入れ替えの操作は、ドラッグアンドドロップの操作によって実現されてもよい。例えば、アプリの表示画面Ｗ５００には、番号ボタンの代わりに、マルチ画面表示を模した図を表示する。この図において、キャプチャ画面をドラッグアンドドロップによって入れ替える操作ができるようにする。ユーザによって、キャプチャ画面をドラッグアンドドロップによって入れ替える操作がされたら、アプリは操作に応じて、Ｓｗａｐコマンドと、ドラッグアンドドロップの操作がされた位置に対応する出力先情報とを含むキャプチャ制御信号を表示装置１０へ送信する。
【０１０５】
本実施形態によれば、リモコン装置ではなく、表示装置１０に接続されたＰＣといった情報処理装置から、表示装置１０に対するキャプチャ制御信号の送信が可能となる。したがって、映像出力装置であるＰＣで作業をしている場合に、ＴＶ側の操作をするという煩わしさを軽減でき、ユーザの利便性の向上に繋がる。
【０１０６】
なお、映像出力装置がスマートフォン等の端末装置である場合は、表示装置１０と映像出力装置とはＭＨＬケーブルによって接続される。このような場合は、端末装置は、ＲＣＰ（Remote Control Protocol）によってキャプチャ制御信号を送信する。また、表示装置１０は、制御信号受信部１６０によってキャプチャ制御信号を受信した場合は、キャプチャ制御信号に基づき処理を行う。
【０１０７】
また、端末装置では、キャプチャ制御信号を送信するアプリが実行できるようにする。そして、アプリに対するユーザの操作に応じて、端末装置は、表示装置１０に対して、キャプチャ制御信号を送信する。
【０１０８】
［７．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。また、上述した実施形態は、説明の都合上、それぞれ別に説明している部分があるが、技術的に可能な範囲で組み合わせて実行してもよいことは勿論である。
【０１０９】
また、上述した実施形態は、それぞれの実施形態を組み合わせて実行することができることは勿論である。例えば、第１実施形態と第５実施形態とを組み合わせて実行することで、キャプチャ制御信号は、リモコン装置及び映像出力装置から送信することが可能となる。
【０１１０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１１１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１１２】
１０、１２  表示装置
１００  制御部
１１０  静止画像取得部
１２０  映像処理部
１３０  制御信号処理部
１４０  映像信号入力部
１５０  表示部
１６０  制御信号受信部
１７０  記憶部
１８０  フレームメモリ
１８００  仮想バッファ
１９０  スイッチャ
【図１】
2019204032.tif 000003
【図２】
2019204032.tif 000004
【図３】
2019204032.tif 000005
【図４】
2019204032.tif 000006
【図５】
2019204032.tif 000007
【図６】
2019204032.tif 000008
【図７】
2019204032.tif 000009
【図８】
2019204032.tif 000010
【図９】
2019204032.tif 000011
【図１０】
2019204032.tif 000012
【図１１】
2019204032.tif 000013
【図１２】
2019204032.tif 000014
【図１３】
2019204032.tif 000015
【図１４】
2019204032.tif 000016
【図１５】
2019204032.tif 000017
【図１６】
2019204032.tif 000018
【図１７】
2019204032.tif 000019